(57)【要約】【課題】停電時に高温排ガスによるバグフィルタの焼損事故が起こらないようにする。【解決手段】熱交換器４と、冷却塔５と、バグフィルタ６とを備えた高温排ガス処理用の排ガス処理装置において、熱交換器４とバグフィルタ６との間に冷却塔５と並列に緊急開放時用放熱器１０を設け、緊急開放時用放熱器１０側の排ガス経路１１に、停電により開放される停電時安全弁１２を設ける。【選択図】  図１
2005030617.tif 000002
【特許請求の範囲】
【請求項１】
熱交換器と、冷却塔と、バグフィルタとを備えた高温排ガス処理用の排ガス処理装置であって、
熱交換器とバグフィルタとの間に冷却塔と並列に緊急開放時用放熱器を設け、
緊急開放時用放熱器側の排ガス経路に、停電により開放される停電時安全弁を設けたことを特徴とする排ガス処理装置。
【請求項２】
停電時安全弁の開閉を制御する制御回路に、停電時安全弁の開作動を遅延させる空圧駆動の遅延弁を設けたことを特徴とする請求項１記載の排ガス処理装置。
【発明の詳細な説明】
【０００１】
【発明の属する技術分野】
本発明は、都市ごみや産業廃棄物の焼却処理設備や、その焼却残渣を溶融炉で溶融処理する溶融処理設備等から排出される高温排ガスを処理するための排ガス処理装置に関するものである。
【０００２】
【従来の技術】
一般に、都市ごみや産業廃棄物の焼却処理設備や、その焼却残渣を溶融炉で溶融処理する溶融処理設備等から排出される高温排ガスを処理するための排ガス処理装置には、熱交換器と、冷却塔と、バグフィルタとを備えたものが用いられている。
高温排ガスは、熱交換器で熱交換し、冷却塔でバグフィルタに悪影響のない温度まで冷却した後、バグフィルタにおいて集塵し、有害ガスの除去を行った後、排気ファンによって煙突から大気中に放出される（特許文献１参照）。
【０００３】
【特許文献１】
特開平２００２−７９０１９号公報（第２頁、図８）
【０００４】
【発明が解決しようとする課題】
高温排ガス処理用の排ガス処理装置では、停電が生じたとき、排気ファンは暫時慣性で回転を継続して排ガスを吸引する。このとき、冷却塔への冷却水は直ちに供給が停止されるため、高温排ガスが十分冷却されないままバグフィルタに入って焼損事故を起こすおそれがある。
本発明は、高温排ガス処理用の排ガス処理装置における上記問題を解決するものであって、停電時に高温排ガスによるバグフィルタの焼損事故を起こすおそれのない排ガス処理装置を提供することを目的とする。
【０００５】
【課題を解決するための手段】
本発明では、熱交換器と、冷却塔と、バグフィルタとを備えた高温排ガス処理用の排ガス処理装置において、熱交換器とバグフィルタとの間に冷却塔と並列に緊急開放時用放熱器を設け、緊急開放時用放熱器側の排ガス経路に、停電により開放される停電時安全弁を設けることにより上記課題を解決している。
この排ガス処理装置では、停電が生じると停電時安全弁が開放され、排ガスは緊急開放時用放熱器側へ流れ、緊急開放時用放熱器で冷却された後にバグフィルタに入る。従って、バグフィルタの焼損事故が起きるおそれはない。
【０００６】
なお、落雷の多い地方等では瞬間的な停電が頻発することがある。
瞬間的な停電の都度停電時安全弁を開くと、一旦停電時安全弁を閉じてから通常の操業状態に戻すのに時間がかかるため能率が悪い。停電時間がある程度長ければ、バグフィルタへの悪影響があるが、瞬間的な停電であれば影響はないので、瞬間的な停電では停電時安全弁を開かない方が望ましい。
停電時安全弁の開閉を制御する制御回路に、停電時安全弁の開作動を遅延させる空圧駆動の遅延弁を設けると、瞬間的な停電の場合には、停電時安全弁は開かないので能率がよい。
停電時間がある程度長ければ、停電時安全弁を開いて放熱器側へ排ガスを流し、緊急開放時用放熱器で冷却した排ガスをバクフィルタに送る。
【０００７】
【発明の実施の形態】
図１は、本発明の実施の一形態を示す排ガス処理装置の構成図、図２は停電時安全弁の閉状態を示す制御回路図、図３は停電時安全弁の開状態を示す制御回路図である。
この排ガス処理装置は、焼却残渣を溶融処理する溶融処理設備の排ガス処理装置であって、竪型溶融炉１の排ガス経路２に、二次燃焼炉３と、熱交換機４と、冷却塔５と、バグフィルタ６と、ダイオキシン除去装置７と、排気ファン８と、煙突９とが設けられている。
【０００８】
熱交換器４とバグフィルタ６との間には、冷却塔５と並列に緊急開放時用放熱器１０が設けられている。緊急開放時用放熱器側の排ガス経路１１には、停電により開放される停電時安全弁１２が設けられている。
停電時安全弁１２は、開閉用の空圧シリンダ１３を備えている。空圧シリンダ１３には、空圧源１７からタンク１８、減圧弁１９、パイロット操作切換弁１４を介して圧気が供給される。空圧シリンダ１３は、パイロット操作切換弁１４を電磁弁１５と遅延弁１６でパイロット操作することにより伸縮し、停電時安全弁１２を開閉する。
【０００９】
操業時は電磁弁１５のソレノイドが通電状態であり、図２のように停電時安全弁１２は閉じている。
二次燃焼炉３から約８５０℃で排出される高温排ガスは、熱交換機４で熱交換を行うことによりに温度が降下し、約６００℃で冷却塔５に入る。熱交換機４で加熱された空気は、燃焼用空気として竪型溶融炉１の羽口２０に供給される。
【００１０】
冷却塔５に入った排ガスは約２００℃まで冷却されてバグフィルタ６に入り、バグフィルタ６で飛灰が除去され、ダイオキシン除去装置７で有害物質が除去された後、煙突９から大気中に放出される。
停電が生じたとき、排気ファン８は１０分位慣性で回転を継続して排ガスを吸引するが、冷却塔５への冷却水はすぐに供給が停止される。
【００１１】
このとき、電磁弁１５のソレノイドは無通電状態となり、図３のようにパイロット操作切換弁１４が切換えられて停電時安全弁１２が開くので、排ガスは緊急開放時用放熱器１０側へ流れ、空冷の緊急開放時用放熱器１０で冷却されてバグフィルタ６に入る。従って、冷却塔５への冷却水の供給が停止されても、バグフィルタ６の焼損事故が起きることはない。
【００１２】
遅延弁１６はパイロット操作切換弁１４の切換えに１０秒程度の遅延を与えるので、瞬間的な停電の場合、遅延弁１６の作用で停電時安全弁１２は開かない。これにより、瞬間的な停電の都度停電時安全弁１２を開くことによる能率の低下が防止できる。瞬間的な停電であれば停電時安全弁１２が開かなくてもバグフィルタ６への悪影響はない。
停電時間がある程度長ければ、停電時安全弁１２が開いて緊急開放時用放熱器１０側へ排ガスが流れ、緊急開放時用放熱器１０で冷却した排ガスがバクフィルタ６に送られる。
【００１３】
【発明の効果】
本発明の排ガス処理装置は、停電時には停電時安全弁を開いて緊急開放時用放熱器側へ排ガスを流し、緊急開放時用放熱器で冷却した排ガスをバクフィルタに送るので、バクフィルタの焼損事故が防止される。
停電時安全弁の開閉を制御する制御回路に、停電時安全弁の開作動を遅延させる空圧駆動の遅延弁を設けると、瞬間的な停電の場合、停電時安全弁は開かず、停電時間がある程度長ければ、停電時安全弁を開いて放熱器側へ排ガスを流し、緊急開放時用放熱器で冷却した排ガスをバクフィルタに送る。従って、能率がよい。
【図面の簡単な説明】
【図１】本発明の実施の一形態を示す排ガス処理装置の構成図である。
【図２】停電時安全弁の閉状態を示す制御回路図である。
【図３】停電時安全弁の開状態を示す制御回路図である。
【符号の説明】
１      溶融炉
２      排ガス経路
３      二次燃焼炉
４      熱交換機
５      冷却塔
６      バグフィルタ
７      ダイオキシン除去装置
８      排気ファン
９      煙突
１０    緊急開放時用放熱器
１１    緊急開放時用放熱器側の排ガス経路
１２    停電時安全弁
１３    空圧シリンダ
１４    パイロット操作切換弁
１５    電磁弁
１６    遅延弁
【図１】
2005030617.tif 000003
【図２】
2005030617.tif 000004
【図３】
2005030617.tif 000005